(57)【要約】【課題】装置の大型化、コストの上昇を抑制しつつ版胴上の使用済みの孔版原紙を損傷させることを可能とすることで使用済みの孔版原紙に記録されている情報の漏洩を防止する排版装置、印刷装置及び情報漏洩防止方法の提供。【解決手段】版胴上から剥がされた孔版原紙を、この孔版原紙を収容する排版収容部に向けて搬送する排版搬送手段３０を備え、排版搬送手段３０が、孔版原紙の少なくとも一部を溶融するための発熱体３１、３３を有する。【選択図】図３
2008284828.tif 000002
【特許請求の範囲】
【請求項１】
版胴上から剥がされた孔版原紙を、この孔版原紙を収容する排版収容部に向けて搬送する排版搬送手段を備えた排版装置において、
前記排版搬送手段が、孔版原紙の少なくとも一部を溶融するための発熱体を有することを特徴とする排版装置。
【請求項２】
請求項１記載の排版装置において、
前記排版搬送手段が、前記排版収容部に向けて版胴上から剥がされた孔版原紙を搬送する排版ローラを有し、この排版ローラが前記発熱体を有することを特徴とする排版装置。
【請求項３】
請求項２記載の排版装置において、
前記排版ローラが、版胴上の孔版原紙に当接する当接位置と、この当接位置よりも版胴から離間した離間位置との間で変位可能であり、前記当接位置を占める状態において版胴上の孔版原紙を版胴から剥離可能であって、
前記発熱体は、前記排版ローラが前記当接位置を占めるときに版胴上の孔版原紙の溶融を行うことが可能であるとともに、前記排版ローラによって搬送されている孔版原紙の溶融を行うことが可能であることを特徴とする排版装置。
【請求項４】
請求項１ないし３の何れか１つに記載の排版装置を備えた印刷装置。
【請求項５】
請求項４記載の印刷装置において、
前記発熱体による孔版原紙の溶融を、孔版原紙が版胴上に印刷終了から一定時間放置されたときに行うことを特徴とする印刷装置。
【請求項６】
請求項５記載の印刷装置において、前記一定時間を設定する放置時間設定手段を有することを特徴とする印刷装置。
【請求項７】
請求項４ないし６の何れか１つに記載の印刷装置において、前記発熱体による孔版原紙の溶融を行うか否かを設定する溶融可否設定手段を有し、この溶融可否設定手段により前記溶融を行うことを設定したときのみ、前記溶融を行うことを特徴とする印刷装置。
【請求項８】
版胴上から剥がされた孔版原紙を、この孔版原紙を収容する排版収容部に向けて搬送する排版搬送手段に備えられた発熱体を用い、この発熱体によって孔版原紙の少なくとも一部を溶融することで孔版原紙に記録されている情報の少なくとも一部を読み取り不能とする情報漏洩防止方法。
【発明の詳細な説明】
【技術分野】
【０００１】
本発明は、使用済みの孔版原紙に記録されている情報の漏洩を防止する排版装置、印刷装置及び情報漏洩防止方法に関する。
【背景技術】
【０００２】
従来より、感熱孔版マスタ等といわれる孔版原紙を用いこれを版胴に巻装して印刷を行う印刷装置が知られている。
このような印刷装置は、孔版原紙に発熱素子を当接させ、この発熱素子に対しパルス的に通電を行い熱溶融穿孔しながら搬送することで、孔版原紙に原稿画像に対応する穿孔画像を形成して製版を行い、製版された孔版原紙を版胴に巻装し、印刷用紙をプレスローラ等の押圧部材によって孔版原紙に押圧することで、版胴の開孔部及び孔版原紙の穿孔部からインキを滲出させ、このインキを印刷用紙に転移させて印刷画像を得るものである。
【０００３】
かかる印刷装置では、印刷が終了し、異なる画像の次の印刷を行うときに、使用済みの孔版原紙を版胴から剥離し、新たに製版された孔版原紙を版胴に巻装する。
印刷終了直後に版胴より使用済みの孔版原紙を剥離すると、次の印刷に先立って新しい製版済み孔版原紙が巻装されるまでは、版胴がむき出しになって大気に晒された状態で放置されることとなる。この放置状態が長時間に及ぶと、版胴の外周面や開孔部に残留したインキの硬化、あるいはインキの減少等が起こり、次版の印刷に際して孔版原紙へのインキの流動が阻害されて良好な印刷が行われないことがある。
そのため、印刷終了後であっても、次の印刷までは、使用済みの孔版原紙を版胴の外周面上に巻装させて版胴外周面の乾燥等を防止するのが一般的である。
【０００４】
しかし、使用済みのマスタを版胴に巻装したまま放置しておくと、印刷装置の使用者が交代した場合に、新たな使用者が使用済みの孔版原紙を行って印刷を行えば、前の使用者が行っていた印刷がそのまま行われることとなる。このことは、印刷画像の内容が他の使用者に知られては困る内容のものや複製されては困る機密内容のものであるとき、大きな問題となる。
【０００５】
同様な問題は、使用済みの孔版原紙が版胴から剥離された後にも起こりうる。すなわち、版胴から剥離された使用済みの孔版原紙は、通常、印刷装置内に収容されるが、第三者が印刷装置に収容されている使用済みの孔版原紙を取り出すことができれば、その孔版原紙に記録されている情報が漏洩することとなるためである。
【０００６】
このような問題を解決するための技術が、〔特許文献１〕〜〔特許文献５〕等において種々提案されている。これらの技術は、何らかの手段によって使用済みの孔版原紙を損傷させ、孔版原紙に記録されている情報の読み取りを行えなくすることで、情報の漏洩を防止せんとするものである。
【０００７】
〔特許文献１〕において提案されている技術は、版胴に巻装されている使用済みの孔版原紙に発熱体を当接させ、版胴を回転させて使用済みの孔版原紙に記録されている情報の読み取りを行えないようにするものである。
【０００８】
〔特許文献２〕において提案されている技術は、版胴に巻装されている使用済みの孔版原紙に、孔版原紙を溶解する液体を含浸した塗布ローラを当接させ、使用済みの孔版原紙に記録されている情報の読み取りを行えないようにするものである。
【０００９】
〔特許文献３〕において提案されている技術は、版胴に巻装されている使用済みの孔版原紙に、孔版原紙を損傷させるための突起を備えた突起ローラを当接させ、使用済みの孔版原紙に記録されている情報の読み取りを行えないようにするものである。
【００１０】
〔特許文献４〕において提案されている技術は、使用済みの孔版原紙を収納する排版ボックス内に使用済みの孔版原紙を過熱して収縮させるマスタ加熱機構を設け、使用済みの孔版原紙に記録されている情報の読み取りを行えないようにするものである。
【００１１】
〔特許文献５〕において提案されている技術は、版胴から剥離された使用済みの孔版原紙を排版ボックスに搬送する搬送手段に使用済みの孔版原紙を裁断する裁断ローラを設け、使用済みの孔版原紙に記録されている情報の読み取りを行えないようにするものである。
【００１２】
他に、〔特許文献６〕には、版胴の放置によるインキの乾燥防止等を目的として、使用済みの孔版原紙を剥離し、新たな孔版原紙を版胴に巻装しておく技術が提案されており、この技術でも、使用済みの孔版原紙を版胴から剥離するため、使用済みの孔版原紙をそのまま使っての印刷が回避されているという意味では、情報の漏洩が回避されている。
【００１３】
【特許文献１】特開平９−１４２００１号公報
【特許文献２】特開２００６−６９１５６号公報
【特許文献３】特開２００５−２５４５６８号公報
【特許文献４】特開２００２−８６８８２号公報
【特許文献５】特開２００５−３３５０９８号公報
【特許文献６】特開平３−１７５０８１号公報
【発明の開示】
【発明が解決しようとする課題】
【００１４】
しかし、〔特許文献１〕に記載の技術は、発熱体に加え、これを版胴に当接させる新たな機構が必要となり、装置の大型化、コストの上昇を招くという問題がある。〔特許文献２〕、〔特許文献３〕に記載の技術も同様に、それぞれ、塗布ローラ及びこれに液体を供給する機構、突起ローラに加え、塗布ローラ、突起ローラを版胴に当接させる新たな機構が必要となり、装置の大型化、コストの上昇を招くという問題がある。
【００１５】
また、〔特許文献４〕、〔特許文献５〕に記載の技術は何れも、版胴から剥離された使用済みの孔版原紙を処理するものであるため、使用済みのマスタを版胴に巻装させたまま放置しておく場合において使用者が交代した場合における上述の問題が依然として残っている。
【００１６】
〔特許文献６〕に記載の技術は、使用済みの孔版原紙を損傷させるものではないため、版胴から剥離された使用済みの孔版原紙に記録されている情報の読み取りが行われると考えられ、情報の漏洩に対する対策としては不十分であるという問題とともに、版胴に巻装しておく新たな孔版原紙やこれに付着したインキが無駄になり、コストの上昇を招くという問題がある。
【００１７】
本発明は、装置の大型化、コストの上昇を抑制しつつ版胴上の使用済みの孔版原紙を損傷させることを可能とすることで使用済みの孔版原紙に記録されている情報の漏洩を防止する排版装置、印刷装置及び情報漏洩防止方法の提供を目的とする。
【課題を解決するための手段】
【００１８】
上記目的を達成するため、請求項１記載の発明は、版胴上から剥がされた孔版原紙を、この孔版原紙を収容する排版収容部に向けて搬送する排版搬送手段を備えた排版装置において、前記排版搬送手段が、孔版原紙の少なくとも一部を溶融するための発熱体を有することを特徴とする。
【００１９】
請求項２記載の発明は、請求項１記載の排版装置において、前記排版搬送手段が、前記排版収容部に向けて版胴上から剥がされた孔版原紙を搬送する排版ローラを有し、この排版ローラが前記発熱体を有することを特徴とする。
【００２０】
請求項３記載の発明は、請求項２記載の排版装置において、前記排版ローラが、版胴上の孔版原紙に当接する当接位置と、この当接位置よりも版胴から離間した離間位置との間で変位可能であり、前記当接位置を占める状態において版胴上の孔版原紙を版胴から剥離可能であって、前記発熱体は、前記排版ローラが前記当接位置を占めるときに版胴上の孔版原紙の溶融を行うことが可能であるとともに、前記排版ローラによって搬送されている孔版原紙の溶融を行うことが可能であることを特徴とする。
【００２１】
請求項４記載の発明は、請求項１ないし３の何れか１つに記載の排版装置を備えた印刷装置にある。
【００２２】
請求項５記載の発明は、請求項４記載の印刷装置において、前記発熱体による孔版原紙の溶融を、孔版原紙が版胴上に印刷終了から一定時間放置されたときに行うことを特徴とする。
【００２３】
請求項６記載の発明は、請求項５記載の印刷装置において、前記一定時間を設定する放置時間設定手段を有することを特徴とする。
【００２４】
請求項７記載の発明は、請求項４ないし６の何れか１つに記載の印刷装置において、前記発熱体による孔版原紙の溶融を行うか否かを設定する溶融可否設定手段を有し、この溶融可否設定手段により前記溶融を行うことを設定したときのみ、前記溶融を行うことを特徴とする。
【００２５】
請求項８記載の発明は、版胴上から剥がされた孔版原紙を、この孔版原紙を収容する排版収容部に向けて搬送する排版搬送手段に備えられた発熱体を用い、この発熱体によって孔版原紙の少なくとも一部を溶融することで孔版原紙に記録されている情報の少なくとも一部を読み取り不能とする情報漏洩防止方法にある。
【発明の効果】
【００２６】
本発明は、版胴上から剥がされた孔版原紙を、この孔版原紙を収容する排版収容部に向けて搬送する排版搬送手段を備えた排版装置において、前記排版搬送手段が、孔版原紙の少なくとも一部を溶融するための発熱体を有するので、排版搬送手段と発熱体との部品の共通化により装置の大型化、コストの上昇を抑制しつつ、排版搬送手段によって使用済みの孔版原紙を損傷させることができ使用済みの孔版原紙に記録されている情報の漏洩を防止することができる排版装置を提供することができる。
【００２７】
前記排版搬送手段が、前記排版収容部に向けて版胴上から剥がされた孔版原紙を搬送する排版ローラを有し、この排版ローラが前記発熱体を有することとすれば、排版ローラと発熱体との部品の共通化により装置の大型化、コストの上昇を抑制しつつ、搬送ローラによって使用済みの孔版原紙を損傷させることができ使用済みの孔版原紙に記録されている情報の漏洩を防止することができる排版装置を提供することができる。
【００２８】
前記排版ローラが、版胴上の孔版原紙に当接する当接位置と、この当接位置よりも版胴から離間した離間位置との間で変位可能であり、前記当接位置を占める状態において版胴上の孔版原紙を版胴から剥離可能であって、前記発熱体は、前記排版ローラが前記当接位置を占めるときに版胴上の孔版原紙の溶融を行うことが可能であるとともに、前記排版ローラによって搬送されている孔版原紙の溶融を行うことが可能であることとすれば、排版ローラと発熱体との部品の共通化により装置の大型化、コストの上昇を抑制しつつ、当接位置を占めた排版ローラによって版胴上の使用済みの孔版原紙を損傷させることができ、また離間位置を占めた排版ローラによって搬送されている使用済みの孔版原紙を損傷させることができることで、使用済みの孔版原紙に記録されている情報の漏洩を防止することができる排版装置を提供することができる。
【００２９】
本発明は、請求項１ないし３の何れか１つに記載の排版装置を備えた印刷装置にあるので、上述の効果を奏する排版装置を備え、排版搬送手段と発熱体との部品の共通化により装置の大型化、コストの上昇を抑制しつつ、排版搬送手段によって使用済みの孔版原紙を損傷させることができ使用済みの孔版原紙に記録されている情報の漏洩を防止することができる印刷装置を提供することができる。
【００３０】
前記発熱体による孔版原紙の溶融を、孔版原紙が版胴上に印刷終了から一定時間放置されたときに行うこととすれば、排版搬送手段と発熱体との部品の共通化により装置の大型化、コストの上昇を抑制しつつ、一定時間放置されたことを条件に必要に応じて排版搬送手段によって使用済みの孔版原紙を損傷させることができ使用済みの孔版原紙に記録されている情報の漏洩を防止することができる印刷装置を提供することができる。
【００３１】
前記一定時間を設定する放置時間設定手段を有することとすれば、排版搬送手段と発熱体との部品の共通化により装置の大型化、コストの上昇を抑制しつつ、ユーザによって設定された一定時間放置されたことを条件にユーザの要求に応じて排版搬送手段によって使用済みの孔版原紙を損傷させることができ使用済みの孔版原紙に記録されている情報の漏洩を防止することができる印刷装置を提供することができる。
【００３２】
前記発熱体による孔版原紙の溶融を行うか否かを設定する溶融可否設定手段を有し、この溶融可否設定手段により前記溶融を行うことを設定したときのみ、前記溶融を行うこととすれば、排版搬送手段と発熱体との部品の共通化により装置の大型化、コストの上昇を抑制しつつ、ユーザによってかかる溶融を行うことが設定されたことを条件にユーザの必要に応じて排版搬送手段によって使用済みの孔版原紙を損傷させることができ使用済みの孔版原紙に記録されている情報の漏洩を防止することができる印刷装置を提供することができる。
【００３３】
本発明は、版胴上から剥がされた孔版原紙を、この孔版原紙を収容する排版収容部に向けて搬送する排版搬送手段に備えられた発熱体を用い、この発熱体によって孔版原紙の少なくとも一部を溶融することで孔版原紙に記録されている情報の少なくとも一部を読み取り不能とする情報漏洩防止方法にあるので、排版搬送手段と発熱体との部品の共通化により装置の大型化、コストの上昇を抑制しつつ、排版搬送手段によって使用済みの孔版原紙を損傷させることができ使用済みの孔版原紙に記録されている情報の漏洩を防止することができる情報漏洩防止方法を提供することができる。
【発明を実施するための最良の形態】
【００３４】
図１に、本発明を適用した印刷装置としての感熱デジタル製版一体型の孔版印刷装置の概略を示す。この孔版印刷装置１の全体構成を示した同図において、符号８は、孔版印刷装置１の骨組みをなす装置本体を示している。装置本体８の上部にある符号７で示す部分は画像読取部を、その右下方の符号３で示す部分は製版部を、その左側に符号２で示す部分は印刷部を、その左側の符号５で示す部分は排版部を、製版部３の下方の符号４で示す部分は給紙部を、印刷部２の左方の符号６で示す部分は排紙部を、それぞれ示している。
【００３５】
孔版印刷装置１は他に、図５に示すように、ユーザが孔版印刷装置１の操作を行うための操作パネル４６と、孔版印刷装置１の動作等の全般を制御する制御手段としての制御部である制御装置８０とを備えている。
【００３６】
図１に示すように、印刷部２は、装置本体８のほぼ中央に配設されており、製版画像が形成された製版済みのマスタ２１を外周面に巻装する版胴９と、版胴９上の製版済みのマスタ２１に用紙Ｐを押し付ける押圧手段としてのプレスローラ１０とを具備している。印刷部２は、回転駆動される版胴９上の製版済みのマスタ２１に給紙部４から給送されてくる用紙Ｐを押圧手段としてのプレスローラ１０で押し付けて印刷する機能・構成を有する。
【００３７】
版胴９は、インキ供給パイプを兼ねた支軸１１に回転自在に支持された図示しない一対の端板と、インキ通過性の孔を多数穿設され各端板の外周面に巻着された図示しない多孔性支持板と、この多孔性支持板の外周面に巻装されたインキ保持部材としての図示しないメッシュスクリーンとから主に構成されている。
【００３８】
多孔性支持板は、円筒状に形成されていてインキ通過性の孔を多数穿設されている。この多孔性支持板は、多孔性の支持円筒体あるいは単に版胴と呼ばれることもある。版胴９は、図示しない版胴９駆動用のモータを備えた駆動機構によって、図１中矢印方向の時計回りに回転駆動される。
【００３９】
版胴９の内部にはインキローラ１３およびドクターローラ１４を有する周知のインキ供給手段１５が配設されている。
版胴９の外周面には、版胴９の外周面の一つの母線に沿って配置されたステージ１２Ａと、ステージ１２Ａと平行に設けられた回動軸１２Ｂと、回動軸１２Ｂに取り付けられ版胴９上にマスタ２１を保持・固定するための保持手段としての、ステージ１２Ａに対して開閉自在なクランパ１２とが設けられている。
【００４０】
図２に示すように、クランパ１２は、クランパ１２を開閉駆動する駆動源となるクランパ駆動手段としてのクランパモータ５１と、排版位置固定ピン５２と、ドラムガイド５３と、リンク機構５４とを有するクランパ開閉機構５５によってステージ１２Ａに対して開閉されるようになっている。クランパ開閉機構５５は装置本体８側に配設されている。
【００４１】
クランパ開閉機構５５は、版胴９の回転に伴ってドラムガイド５３が揺動し、排紙位置固定ピン５２がドラムガイド５３の所定位置を占めると、リンク機構５４によりクランパモータ５１の駆動力をクランパ１２に伝達し、クランパ１２をステージ１２Ａに対して拡開する。
【００４２】
そして、クランパ１２は、版胴９の回転に伴い、クランパ開閉機構５５により、製版部３から搬送・給版されるマスタ２１の先端部を受け取ることが可能となる図１に示す給版位置と、版胴９上から使用済みのマスタ２１を剥離することが可能となる図示を省略した排版位置すなわち排版ローラ上３１にほぼ対向した位置とにおいて、ステージ１２Ａに対して拡開し、その他の位置では、閉じた状態となる。版胴９のホームポジションは、クランパ１２の回転軸１２Ｂが図１の真上に位置する位置に予め設定されている。
【００４３】
版胴９がホームポジション、給版位置を占めたことの検知は、版胴９の周りの互いに異なる位置に配設された図示しないホームポジションセンサ、給版位置センサによって行われる。版胴９が排版位置を占めたことの検知は、パルス検出センサで行われる。すなわち、共に図示しないパルスカウンタおよび比較器を通過して送信される版胴９駆動用のモータの回転位置信号すなわち角度信号と、ホームポジションセンサからのホームポジションに係る信号とから割り出し検知される。
【００４４】
版胴９をホームポジション、給版位置、排版位置において停止する制御は、上述のようにして版胴９がそれぞれの位置を占めたことが検知されたときに版胴９駆動用のモータを停止することによって行われる。
【００４５】
クランパ１２の周囲には、クランパ１２が給版位置、排版位置において開くときにのみクランパ１２の開閉動作と連動して作動するとともに、使用済みのマスタ９の確実な排版を実現する図示しない機構が配設されている。この機構は、ステージ１２Ａの近傍に揺動可能に配設され、版胴９上の使用済みのマスタ２１の先端部を版胴９の略遠心方向へ蹴り出す、版胴９の軸線方向に沿って複数備えられた爪状部と、クランパ１２の開閉動作と連動して開閉する弾性薄板とを具備している。この機構により、クランパ１２が給版および排版に必要な所定の角度にそれぞれ開かれ、比較的簡素な機構の自動給版および自動排版装置を使用することが可能となっている。また、この機構は排版位置においてのみクランパ１２を排版に必要な大きい角度に開き、上述の弾性薄板がクランパ１２と連動して凹部から版胴９の遠心方向へ突出する向きに揺動することで、使用済みのマスタ９を確実に排版する。
【００４６】
図１に示すように、版胴９の下方には、インキローラ１３に対向する状態でプレスローラ１０が配設されている。プレスローラ１０はその両端を一対のプレスローラアーム１６間に回転自在に支持されており、図示しないプレスローラ揺動手段により各プレスローラアーム１６が揺動されることにより版胴９の外周面に対して接離される。
【００４７】
プレスローラ１０は、上記プレスローラ揺動手段の作動によって版胴９の外周面に圧接する図１に破線で示す印刷位置と、版胴９の回転に伴って移動するクランパ１２等の障害物と干渉しない上記印刷位置から離間した図１に実線で示す非印刷位置とを選択的に占める。プレスローラアーム１６の周りには、プレスローラ１０を非印刷位置に保持する図示しない周知の係止手段も配設されている。
【００４８】
製版部３は、マスタ２１を製版しその製版済みのマスタ２１を版胴９の外周面に搬送・給版する機能・構成を有する。製版部３は、マスタロール支持部材１７、プラテンローラ１８、製版手段としてのサーマルヘッド１９、切断手段２０等を具備している。
マスタロール支持部材１７は、マスタ２１を芯管の周りに巻き付けて形成されたマスタロールの上記芯管を回転自在かつ着脱自在に支持する。
【００４９】
マスタ２１としては、比較的少ないインキ付着量で、印刷むらがなく、印刷物の裏汚れが少ないと共に、繊維目による画質劣化を低減させることが可能なものが好ましく用いられる。たとえば、ポリエチレンテレフタレート（ＰＥＴ）系の熱可塑性樹脂フィルムの一方の面上に樹脂からなる多孔性樹脂膜を有し、さらにその表面に繊維状物質からなる多孔性繊維膜を積層してなるマスタであって、その厚みが比較的薄く、かつ、比較的低強度であってその曲げ剛度が５ｍＮ以上のものである。
【００５０】
フィルムの厚みは大体１〜２μｍ程度で、多孔性樹脂膜および多孔性繊維膜であるその支持体の厚みは２５〜３０μｍ程度で、トータルの厚み３０〜３５μｍ程度のものが使用される。マスタ２１はフィルムが外側を向く状態で版胴９に巻装されるようになっている。
【００５１】
プラテンローラ１８は、ステッピングモータ２２によって回転駆動される。サーマルヘッド１９は、多数の発熱素子を有し、図示しない接離手段によってプラテンローラ１８に接離自在に構成されており、製版時にはプラテンローラ１８に圧接される。サーマルヘッド１９は、図示しない製版制御部およびサーマルヘッド駆動回路を介して送信されてくる画像情報としての画像データ信号に基づいて、マスタ２１の熱可塑性樹脂フィルムの表面に接触しつつ各発熱素子を選択的に発熱させて、マスタ２１の熱可塑性樹脂フィルム部分に対して熱溶融穿孔製版を行い、画像データ信号に応じた製版画像を形成する。
【００５２】
製版に用いる画像情報としては、画像読取部７の画像センサ４４により読み取られた原稿の画像情報の他、孔版印刷装置１とネットワーク等を介して通信可能に接続されている場合には、外部画像情報入力手段としてのパソコン等のコンピュータから送信されてくる画像情報も含まれる。
【００５３】
切断手段２０は、可動刃と固定刃とを有しており、固定刃に対して可動刃が上下動あるいは回転移動することによりマスタ２１を切断する。切断手段２０よりもマスタ２１の搬送方向下流側には、マスタ２１の搬送を行う２組のマスタ搬送ローラ対およびその搬送をガイドするマスタガイド板が配設されている。
【００５４】
給紙部４は、給紙台としての給紙トレイ２３、給紙ローラ２４、分離ローラ２５、分離ころ２６、レジストローラ対２７等を有している。給紙トレイ２３は、その上面に多数の用紙Ｐを積載して装置本体８に上下動自在に支持されており、図示しない昇降手段によって上下動される。給紙ローラ２４および分離ローラ２５は、表面にそれぞれ高摩擦抵抗部材を有しており、給紙トレイ２３上の用紙Ｐと所定の圧力で圧接して共通のステッピングモータ２８によってそれぞれ同期して回転駆動される。分離ころ２６は、分離ローラ２５に圧接されており、分離ローラ２５と同方向に間欠回転される。レジストローラ対２７は、駆動ローラと従動ローラとからなり、版胴９の回転と同期して回転駆動され、用紙Ｐを所定のタイミングで印刷部２に向けて給送する。
【００５５】
排紙部６は、印刷部２で印刷された用紙Ｐを版胴９の外周面から剥離し排紙台としての排紙トレイ３９に排出する機能・構成を有する。排紙部６は、排紙トレイ３９のほか、剥離送風ファン３６、剥離爪３７、排紙搬送ユニット３８等を具備している。
【００５６】
剥離爪３７は、版胴９の外周面より印刷済みの用紙Ｐを剥離する機能を有し、装置本体８に揺動自在に支持されており、図示しない爪揺動手段の作動によってその先端が版胴９の外周面に近接する位置と、その先端が版胴９の回転に伴って移動するクランパ１２等の障害物と干渉しない位置とを選択的に占める。剥離送風ファン３６は、送風口より圧縮された空気を版胴９上の製版済みのマスタ２１と用紙Ｐの先端部との間に吹き付けて、剥離爪３７による用紙Ｐの剥離作用を助勢する機能を有する。
【００５７】
排紙搬送ユニット３８は、駆動ローラ、従動ローラ、多数の空気吸引用の孔が形成された無端ベルト、吸引ファン等を有しており、剥離送風ファン３６および剥離爪３７によって版胴９の外周面上から剥離された用紙Ｐを無端ベルト上に吸引しつつ、図１に矢印で示す方向に搬送する。排紙トレイ３９は、排紙搬送ユニット３８によって搬送される用紙Ｐをその上面に積載するものであり、用紙幅方向に移動自在な一対のサイドフェンスと用紙搬送方向に移動自在な１つのエンドフェンスとを有している。
【００５８】
画像読取部７は、原稿の画像を読み取る機能・構成を有する。画像読取部７は、原稿を載置するコンタクトガラス４０、圧板４１、原稿を走査して読み取る走査ユニット４２、走査された画像を集束するレンズ４３、集束された画像を処理するＣＣＤ等の画像センサ４４等を具備しており、圧板４１の上部には原稿を自動的に原稿読取部に搬送するＡＤＦユニット４５が配設されている。
【００５９】
排版部５は、版胴９の外周面に巻装された使用済みのマスタ２１を剥離し排版する、後述する排版・圧縮・溶融動作を行う排版装置としての機能・構成を有する。
排版部５は、版胴９上の使用済みのマスタ２１を剥離搬送する排版搬送手段としての排版ローラ対３０及び搬送ローラ５６と、排版ローラ対３０及び搬送ローラ５６により搬送されてきた使用済みのマスタ２１を圧縮する圧縮板３４と、圧縮板３４によって圧縮された使用済みのマスタ２１を収容し貯容する排版貯容手段である排版収容部としての排版ボックス３５等とを具備している。排版ローラ対３０、搬送ローラ５６、圧縮板３４は、排版経路の上流側から下流側に向けてこの順に配置されている。
【００６０】
排版ローラ対３０は、版胴９の外周面に巻き付けられた使用済みのマスタ２１を挟持して剥離しながら引き込むものであって、図３に示すように、互いに圧接する、排版ローラとしての排版ローラ上３１と、排版ローラ上３１に当接した排版ローラとしての排版ローラ下３３とを有している。排版ローラ上３１と排版ローラ下３３とは、図１における紙面垂直方向である版胴９の軸線方向に間隔をおいて複数設けられている。
【００６１】
図３に示すように、排版ローラ上３１、排版ローラ下３３の軸部をなす回転軸３１ａ、３３ａは、図１の紙面の手前側および奥側に対応して配設された一対の排版側板２９、２９（以下、「排版側板対２９」という）に回転自在に支持されている。排版側板対２９は、装置本体８に固設されている。
【００６２】
各回転軸３１ａ、３３ａの図１における紙面奥側の端部には、互いに噛み合う図示しない従動ギヤおよび駆動ギヤが固定されている。排版ローラ下３３は、駆動ギヤと噛み合う図示しないギヤ列等の駆動伝達手段を介して、排版駆動手段としての例えばステッピングモータからなる図５に示す排版駆動モータ６３に連結されている。これにより、排版ローラ上３１と排版ローラ下３３とは、互いに反対向きに、すなわち図１では排版ローラ上３１が時計回りに、排版ローラ下３３は反時計回りに回転駆動される。
【００６３】
排版ローラ上３１のうち図１において最も紙面手前に位置するものよりもさらに手前側には、図１に示すように、回転軸３１ａに支持され排版ローラ上３１と同期回転する羽根部材としての羽根車３２が設けられている。羽根車３２は排版ローラ上３１のうち同図において最も紙面奥側に位置するものよりもさらに奥側にも配設されている。
【００６４】
羽根車３２は、回転軸３１ａに固定されたローラ状の基部３２ｂと、基部３２ｂから排版ローラ上３１の遠心方向すなわち径方向に放射状に延び、排版ローラ上３１の外周面・外径よりも外方に突出する長さを有する複数の弾性羽根３２ａを有している。図２、図３において弾性羽根３２ａの図示は省略している。基部３２ｂは、耐インキ腐食性で耐油性を有する例えばニトリルゴムやシリコンゴム等の弾性体で形成されている。
【００６５】
図２に示すように、回転軸３１ａの端部は、クランパ開閉機構５５からの駆動力を受けて、クランパ１２の開閉に同期して駆動され、これにより、排版ローラ上３１が搖動するようになっている。羽根車３２も排版ローラ上３１と一体で同様に搖動する。この搖動を行う排版搬送手段搖動機構５７は、リンク機構５４に形成されたラック部５８と、ラック部５８に噛合した歯車５９と、歯車５９に噛合しているとともに回転軸３１ａに係合しその軸６０ａを中心に搖動する搖動部材６０とを有している。
【００６６】
排版搬送手段搖動機構５７は、クランパ１２が排版位置を占め拡開されると、リンク機構５４の駆動力が歯車５９、搖動部材６０に伝達され、回転軸３１ａを駆動することで、図４に示すように、排版ローラ上３１が、実線で示した版胴９から離間した離間位置から、２点差線で示したように版胴９に向けて変位する。版胴９に向けて変位したとき、排版ローラ上３１は、版胴９上のマスタ２１に当接し得る当接位置を占める。なお、図４においてはクランパ１２及びマスタ２１の図示を省略している。
【００６７】
排版ローラ上３１は、クランパ１２が排版位置を占めるとき以外は、クランパ１２との干渉を避けるために、当接位置よりも版胴９から離間した離間位置に位置保持される。このように、排版ローラ上３１は、離間位置と当接位置との間で変位可能となっている。離間位置は排版ローラ上３１のホームポジションである。
【００６８】
弾性羽根３２ａは、排版時には版胴９及び排版ローラ下３３に当接して折れ曲がるように変形する。弾性羽根３２ａは、クランパ１２が拡開した状態でマスタ２１の先端部に接触して排版ローラ上３１と排版ローラ下３３とのニップ部にマスタ２１を引き込む役目と、マスタ２１を叩くことで排版ローラ上３１の周面に剥離済みのマスタ２１が貼り付くことを防止する機能とを有している。
【００６９】
図６に示すように、回転軸３１ａは中空状をなしており、その内部の長穴９１には図示しない電源に接続されたハーネス９２が挿通されている。ハーネス９２は各排版ローラ上３１内部に配設された図示しない抵抗に接続され、通電時に抵抗を介して各排版ローラ上３１が加熱されるように構成されている。回転軸３３ａ、各排版ローラ下３３も同様に構成されている。電源は、図５に示す発熱体駆動部９３に接続されており、制御装置８０によって発熱体駆動部９３が制御されることでハーネス８２への通電が制御され、各排版ローラ上３１、各排版ローラ下３３が加熱され発熱するようになっている。
【００７０】
各排版ローラ上３１、各排版ローラ下３３は、セラミックス製であるが、炭素鋼等によって構成してもよい。各排版ローラ上３１、各排版ローラ下３３は、発熱時に約２００℃で発熱するようになっている。これは、マスタ２１のフィルムを溶融させるに十分な温度となっている。後述するように各排版ローラ上３１、各排版ローラ下３３は、マスタ２１のフィルム部分を溶融するための発熱体として機能するようになっている。
【００７１】
搬送ローラ５６は、耐インキ腐食性で耐油性を有する例えば、ＡＢＳ樹脂やポリアセタール樹脂等の樹脂で形成されており、その外周面にはインキを含んだマスタ２１の貼り付きを低減するために、すなわちマスタ２１との接触面積を低減できるように、その図示を省略した歯形加工やローレット加工処理が施されている。
【００７２】
搬送ローラ５６は、版胴９上から剥がされ、排版ボックス３５に向けて排版ローラ上３１、排版ローラ下３３によって搬送されてきたマスタ２１をさらに排版ボックス３５に向けて搬送するようになっている。
【００７３】
図１において搬送ローラ５６のさらに左側の排版経路には、排版側板対２９間に所定角度回動自在に支持された軸３４ａに基端部側を取付け・固定され、軸３４ａを中心として図１中矢印方向に揺動する圧縮部材としての圧縮板３４が設けられている。圧縮板３４は、ほぼＬ字形状をなし、その自由端側は、搬送ローラ５６に近接した位置を通過して、搬送ローラ５６により搬送されたマスタ２１を押圧しながら排版ボックス３５の下方壁面に向かって移動し、排版ボックス３５の下方奥部に圧縮収納するようになっている。
【００７４】
圧縮板３４は、軸３４ａの一端部に取り付けられたギヤ等の駆動伝達手段を介して図５に示す圧縮板駆動モータ９７に連結されていて、圧縮板駆動モータ９７により所定のタイミングで揺動・駆動される。排版ボックス３５は、排版側板対２９に対して着脱自在に設けられており、マスタ２１で満杯になると、図示しない満杯検知センサがこれを検知してユーザに知らせることで適宜廃棄できるようになっている。
【００７５】
排版部５はそのほか、マスタ２１の先端が排版ローラ対３０により挟持されたことを検知する検知手段としての図示しない排版センサを有している。この排版センサは、例えば、排版ローラ対３０近傍に配設された反射型の光学センサによって構成される。
【００７６】
操作パネル４６は、装置本体８の上部前面に設けられており、図５に示すように、排版ローラ上３１、排版ローラ下３３によるマスタ２１の溶融を行うか否かを設定する溶融可否設定手段としての情報漏洩防止切換キー９４と、後述する放置時間を設定する放置時間設定手段としての放置時間設定キー９５とを有している。
【００７７】
操作パネル４６はそのほか、製版スタートキー、印刷スタートキー、試し刷りキー、連続キー、クリア／ストップキー、テンキー、エンターキー、プログラムキー、モードクリアキー、印刷速度設定キー、４方向キー、７セグメントＬＥＤを備えた表示装置、ＬＣＤを備えた表示装置等を有している。
【００７８】
情報漏洩防止切換キー９４は、機密保持モードを設定するための機密保持モード設定手段として機能するものである。放置時間の設定にはテンキーを用いるため放置時間設定キー９５にはテンキーを含んでいる。
【００７９】
制御装置８０は、中央演算処理装置であるＣＰＵ８１、孔版印刷装置１の動作プログラム及びこの動作プログラムの動作に必要な各種データを記憶した第１の記憶手段としての読み出し専用記憶装置であるＲＯＭ８２、画像読取部７にて読み取った画像データなど孔版印刷装置１の動作に必要なデータを記憶する第２の記憶手段としての読み書き可能な記憶装置であるＲＡＭ８３、放置時間設定キー９５によって設定された放置時間などの所定の時間を計測することが可能となっているタイマ８４、および操作パネル４６、排版駆動モータ６３、圧縮版駆動モータ９７、クランパモータ５１、発熱体駆動部９３、排紙センサ７１等とＣＰＵ８１との入出力ポート・インターフェースを構成したＩ／Ｏ・Ｉ／Ｆ８５等を備え、これらが図示しない信号バスによって接続された構成を有するマイクロコンピュータを具備している。
【００８０】
制御装置８０は、装置本体８内の図示しない制御基板配置部に設けられている。ＣＰＵ８１は、Ｉ／Ｏ・Ｉ／Ｆ８５等を介して、排紙センサ７１および操作パネル４６の上記した各種キーとそれぞれ電気的に接続されていて、データ信号やオン／オフ信号を受信する。ＣＰＵ８１（以下、説明の簡単化のため「制御装置８０」というときがある）は、排版駆動モータ６３、圧縮板駆動モータ９７、クランパモータ５１、発熱体駆動部９３以外に、孔版印刷装置１の上記各部の制御対象駆動手段も制御しているが、説明の簡単化のためその説明を省略する。
【００８１】
ＲＯＭ８２には、後述する動作に係る動作プログラムや、関係データ等が予め記憶されている。ＲＡＭ８３は、画像データのほか、ＣＰＵ８１での判断結果や計算結果を一時記憶したり、上記各センサ、上記各キー等からの出力信号等を随時記憶したりしてこれら信号の入出力を行うとともに、ＣＰＵ８１によってＲＯＭ８２より呼び出された動作プログラムが一時的に書き込まれる。
【００８２】
上述の構成に基づき、孔版印刷装置１の動作を説明する。
ユーザは画像読取部７に印刷すべき原稿をセットし、操作パネル４６上の各種キーによって製版条件を設定した後に製版スタートキーを押下する。
【００８３】
製版スタートキーが押下されると、スタート信号が生成されこれがトリガとなって、排版装置５において前回の印刷で使用された版胴９の外周面上から使用済みのマスタ２１を剥離・排版、圧縮する一連の動作が行われる。
【００８４】
外周面上に使用済みのマスタ２１を巻装している版胴９は、クランパ１２によって挟持されているマスタ２１の先端部が排版ローラ対３０と対向する位置である排版位置に達するまで回転駆動される。版胴９が排版位置に達すると版胴９の回転が停止し、クランパモータ５１が駆動される直前に、制御装置８０からの指令により排版駆動モータ６３が駆動されることで、排版ローラ対３０が回転駆動開始される。この時、圧縮板駆動モータ９７は停止したままである。
【００８５】
次いで、直ちに、クランパモータ５１が駆動されることにより、クランパ１２がステージ１２Ａに対して給版時よりも大きい角度に開放され、これに連動して上記弾性薄板によるマスタ２１先端部の蹴り上げ動作が行われる。
【００８６】
これと同時に、排版搬送手段搖動機構５７により、排版ローラ上３１が、離間位置から当接位置に駆動される。これにより、マスタ２１の先端部がマスタ幅方向の全体に亘って蹴り上げられ開放されフリーな状態となり、この状態でマスタ２１先端部の排版ローラ対３０への受け渡しが行われることとなる。よって当接位置は、排版ローラ上３１がマスタ２１を版胴９から剥離する剥離位置である。
【００８７】
そして、開放されたマスタ２１の先端部が、羽根車３２の弾性羽根３２ａに接触し、排版ローラ対３０の回転により、排版ローラ上３１と排版ローラ下３３のニップ部に引き込まれる。マスタ２１の先端部が排版ローラ対３０にくわえ込まれ、排版ローラ対３０の回転動作が所定時間行われ、排版センサによって剥離されたマスタ２１の先端がニップ部に引き込まれたことが検知されると、一時的に排版ローラ対３０の回転が停止する。
【００８８】
この後、上記開閉手段が作動することにより、クランパ１２が閉じられ、同時に、排版搬送手段搖動機構５７により排版ローラ上３１が当接位置から離間位置に変位すると、直ちに版胴９駆動用のモータが起動されることにより、版胴９が支軸１１の周りに回転を始め、これと同時に排版ローラ対３０が再び回転駆動されることで、剥離されたマスタ２１は版胴１の低速回転と共に、排版ローラ上３１と排版ローラ下３３とによって版胴１の表面から剥離されながら排版ボックス３５に向けて搬送される。
【００８９】
この際、排版ローラ対３０の回転周速度が版胴９の回転周速度を上回るように制御装置８０によって排版駆動モータ６３の回転速度が制御される。そして、版胴９上に巻装されているマスタ２１は、版胴９の回転および排版ローラ対３０の回転によって両者間において張力を付与されつつ、剥離搬送されていく。よって離間位置は、排版ローラ上３１がマスタ２１を搬送する搬送位置である。
【００９０】
排版ローラ対３０により剥離されたマスタ２１は搬送ローラ５６によっても排版ボックス３５に向けて搬送される。なお図１に二点鎖線で示す閉じたクランパ１２の版胴９の回転位置は、使用済みのマスタ２１が排版ボックス３５に向けて搬送されていく過程での位置を示している。
【００９１】
排版駆動モータ６３の所定ステップ数の回転駆動により、排版ローラ対３０によって版胴９上のマスタ２１のほぼ１版分が搬送され圧縮完了されたと制御手段８０で判断されると、排版ローラ対３０、搬送ローラ５６および版胴９の回転が停止され、制御手段８０からの指令によって圧縮版駆動モータ９７が駆動され、圧縮板３４がほぼ９０度揺動してマスタ２１を排版ボックス３５の内部に押し込み、使用済みのマスタ２１が排版ボックス３５の内部に収容される。その後、版胴９が再び回転駆動され、版胴９が図１に示す給版位置へ到達してクランパ１２が二点鎖線で示すように開放されると排版動作が完了する。
【００９２】
排版動作が完了すると、画像読取部７において原稿の読取動作が行われる。読み取られた画像はレンズ４３で集束された後、画像センサ４４に入力され光電変換される。画像センサ４４は、入力された画像データを図示しないＡ／Ｄ変換器および製版制御部に送る。
【００９３】
読取動作と並行して、製版部３ではプラテンローラ１８とサーマルヘッド１９とが作動して、画像データに基づくマスタ２１への製版動作が行われて製版画像が形成される。製版済みのマスタ２１はクランパ１２へと送られ、ステッピングモータ２２のステップ数よりマスタ２１の先端がクランパ１２まで達したと判断されると、上記開閉手段の作動によってクランパ１２が閉じられる。その後、版胴９が製版済みのマスタ２１の搬送速度と同じ回転周速度で回転駆動され、製版済みのマスタ２１の版胴９への巻装動作が行われる。そして、画像読取部７からの画像データ信号が途絶えるとサーマルヘッド１９の作動が停止し、その後、ステッピングモータ２２のステップ数より１版分のマスタ２１が製版搬送されたと判断されると、製版済みのマスタ２１の搬送が停止されると共に、切断手段２０が作動してマスタ２１が切断される。切断されたマスタ２１は版胴９の回転によって製版部３より引き出され、版胴９がホームポジションで停止して給版動作が完了する。
【００９４】
給版動作に引き続き版付け動作が行われる。版胴９がホームポジションで停止した後、版胴９が低速で回転駆動されると共に給紙ローラ２４、分離ローラ２５、排紙搬送ユニット３８がそれぞれ駆動され、給紙トレイ２３より最上位に位置する用紙Ｐが１枚だけ分離給送され、その先端をレジストローラ対２７のニップ部に当接されることで、用紙Ｐの先端部に所定の湾曲した撓みが形成される。レジストローラ対２７は、版胴９に巻装された製版済みのマスタ２１の版胴回転方向における画像領域先端部がプレスローラ１０と対応する位置に到達する所定のタイミングで用紙Ｐを版胴９とプレスローラ１０との間に向けて給送する。また、これとほぼ同時に、図１に波線で示したようにプレスローラ１０が揺動し、その周面が版胴９の外周面に所定の圧接力で圧接される。
【００９５】
用紙Ｐはプレスローラ１０によって版胴９に巻装された製版済みのマスタ２１に押圧され、これによりプレスローラ１０と用紙Ｐと製版済みのマスタ２１と版胴９とが圧接し、インキ供給手段１５によって版胴９の内周面に供給されたインキが版胴９の多孔性支持板の開孔部およびメッシュスクリーンの網目部より滲出し、版胴９の外周面と製版済みのマスタ２１の多孔性支持体との空隙部に充填された後に熱可塑性樹脂フィルムの穿孔部分を介して用紙Ｐに転写され、いわゆる版付けが行われる。インキを転写された用紙Ｐは、剥離爪３７の先端で版胴９の外周面より剥離されて下方へと落下し、排紙搬送ユニット３８によって左方へと吸引搬送されて排紙トレイ３９上に排出される。その後、版胴９が再びホームポジションを占めて停止し、版付け動作が完了して孔版印刷装置１は印刷待機状態となる。版付け動作によって印刷された用紙Ｐは、排紙センサ７１でオン検知されるものの、制御装置８０のＣＰＵ８１はこれを無効化して正規の印刷枚数としてカウントしないようになっている。
【００９６】
孔版印刷装置１が印刷待機状態となった後に、試し刷りキーが押下されると、版付け時と同様に給紙トレイ２３上の最上位の用紙Ｐが１枚だけ分離給送されてレジストローラ対２７に挟持されると共に、版胴９が版付け時よりも高速で回転駆動される。レジストローラ対２７は高速回転している版胴９とプレスローラ１０との間に上述と同様に所定のタイミングで用紙Ｐを給送し、給送された用紙Ｐはプレスローラ１０によって版胴９に巻装されたマスタ２１に圧接されてインキを転写された後、上述したと同様に排紙トレイ３９上に排出される。版胴９はその後に再びホームポジションに戻されて試し刷り動作が完了する。
【００９７】
この試し刷りによって印刷画像の濃度や印刷画像位置を確認し、これらを操作パネル４６上の各種キーで適宜調整して再度試し刷りを行った後、テンキーで印刷枚数を表示装置５８に置数し、印刷速度設定キーで所望の印刷速度を設定して印刷スタートキーを押下することにより、給紙部４より用紙Ｐが連続的に給送されてテンキーで置数された印刷枚数分の印刷動作が、上記給紙、印刷、排紙動作と同様に繰り返し行われる。
【００９８】
設定された印刷枚数が消化されると版胴９は再びホームポジションに戻って停止し、印刷動作が完了して孔版印刷装置１は再び製版待機状態となる。この際、ＣＰＵ８１はテンキーにより設定・置数された所定の印刷枚数置数信号と排紙センサ７１からの印刷した印刷枚数に係るオン信号のカウントとに基づいて、残印刷枚数に係る計算を行い、その残印刷枚数を表示装置に表示する。
【００９９】
このような孔版印刷装置１においては、情報漏洩防止切換キー９４の操作により、機密保持モードを設定することが可能となっている。設定の切り換えは、製版スタートキーの押下の前後、試し刷り、通常の印刷中、印刷終了後等のいつでも行うことができる。機密保持モードを設定すると、続いて、放置時間の設定を行うべき旨が表示装置に表示され、放置時間設定キー９５によって放置時間を設定することとなる。
【０１００】
ＣＰＵ８１は、機密保持モードが設定されているか否か及び設定された放置時間をＲＡＭ８３に記憶する。ＣＰＵ８１はまた、タイマ８４により、排紙センサ７１によって用紙Ｐの排紙が検知された印刷終了時点からの経過時間を計測する。タイマ８４によって計測された経過時間は、排紙センサ７１によって次の用紙Ｐの排紙が検知されたときに更新される。
【０１０１】
機密保持モードが設定されているときには、ＲＡＭ８３に記憶した放置時間とタイマ８４によって計測している経過時間とを比較し、経過時間が放置時間を超えると、版胴９上に巻装されているマスタ２１が使用済みと判断するとともに、そのマスタ２１のフィルムの溶融を行って同マスタ２１に記録されている情報を消去すべきと判断し、発熱体駆動部９３を駆動して排版ローラ上３１を発熱させるとともに、クランパ１２が排版位置を占めるまで版胴９を回動し、クランパ１２を拡開することなく排版ローラ上３１を離間位置から当接位置に変位させる。
【０１０２】
排版ローラ上３１が十分に昇温した状態で版胴９を回動し、版胴９上に巻装されているマスタ２１のフィルムを溶融して、マスタ２１に記録されている情報の消去を行う。情報の消去は、図７に符号９６で示すように、版胴９の軸線方向に対応したマスタ２１の幅方向における、排版ローラ上３１の配設位置において行われる。このように、排版ローラ上３１は、その発熱により、使用済みのマスタ２１の一部を溶融することで同マスタ２１に記録されている情報の読み取りを行えなくすることで、同マスタ２１を製版したユーザ以外の第三者に同情報が漏洩することを防止せんとする発熱体として機能するものである。
【０１０３】
フィルムの溶融処理が行われた、版胴９上に巻装されているマスタ２１は、これを用いて印刷を行っても、符号９６で示した部分の印刷画像の読み取りができず、判読不可となっているため、かかるマスタ２１を版胴９上に巻装したまま放置しても、第三者に情報が漏洩することが防止される。
【０１０４】
もともと排版部５に備えられ離間位置と当接位置との間で変位する排版ローラ上３１を発熱体として用いるので、新たに発熱体を設けるうえでの部品点数の増加が抑制され、またかかる変位を行う機構も新たに設ける必要もないため、装置の大型化、コストの上昇が抑制されている。マスタ２１は版胴９に巻装されている状態でそのフィルム部分が外側を向いているので、排版ローラ上３１による溶融作用が良好に働く。溶融処理は孔版印刷装置１が待機した状態を利用するため、溶融処理のみを行うための時間はかからないこととなる。
【０１０５】
その後、製版スタートキーが押下されたときには、上述のように、マスタ２１は版胴９から剥離され、排版ボックス３５内に収容されるが、マスタ２１は、フィルムのみならず、多孔性繊維膜等の支持体を有するので、剥離、搬送の過程でマスタ２１がバラバラに分離されることはなく、排版ボックス３５への搬送は良好に行われる。
【０１０６】
版胴９に巻装されている状態で上述のように排版ローラ上３１による溶融処理が行われたマスタ２１に関しては、再度溶融処理を行う必要はないため、製版スタートキーが押下され版胴９から剥離されて排版ボックス３５に搬送される過程において、ＣＰＵ８１は発熱体駆動部９３を駆動しない。
【０１０７】
機密保持モードが設定されているときであっても、印刷スタートキー、製版スタートキーの押下が、放置時間内に行われた場合には、排版ローラ上３１によるかかるマスタ２１に溶融動作は行われないが、かかる溶融動作が行われていない状態で製版スタートキーの押下が行われた場合には、上述のようにして排版ローラ上３１と排版ローラ下３３との間でマスタ２１を挟持して排版を行うときに、ＣＰＵ８１は発熱体駆動部９３を駆動して排版ローラ上３１と排版ローラ下３３とを発熱させ、排版ローラ上３１と排版ローラ下３３とによって搬送されているマスタ２１の溶融動作を行う。
【０１０８】
このように、排版動作に伴って排版時間内にマスタ２１の溶融処理を行うため、溶融処理のみを行うための時間がかからないという利点がある。またマスタ２１はそのフィルム部分が排版ローラ下３３側を向いているが、排版ローラ下３３も発熱していることにより溶融作用が良好に働く。この場合には強制的に使用済みのマスタ２１の使用をできなくするわけではないので、マスタ２１の無駄や、排版によるインキの無駄が防止される。
【０１０９】
マスタ２１は、版胴９に巻装されている状態、版胴９から剥離され排版ボックス３５に向けて搬送されている状態のいずれかで溶融処理を受けるため、排版ボックス３５に収容された状態では必ず溶融処理を受けていることから、第三者が排版ボックス３５からマスタ２１を取り出したとしても記録されている情報の漏洩が生じることはない。
【０１１０】
以上本発明の好ましい実施の形態について説明したが、本発明はかかる特定の実施形態に限定されるものではなく、上述の説明で特に限定していない限り、特許請求の範囲に記載された本発明の趣旨の範囲内において、種々の変形・変更が可能である。
【０１１１】
たとえば、排版ローラ上３１は当接位置を占めてマスタの溶融を行うため必ず発熱体として機能するように構成する必要があるが、排版ローラ上３１が離間位置を占めマスタを搬送しながらその溶融を行う場合においてマスタの溶融を行う十分な発熱を行えるのであれば、排版ローラ下３３は発熱体としなくても良い。排版ローラ上３１は版胴９上のマスタ２１の全体を剥離するまで当接位置を占めるようにしてもよい。
【０１１２】
印刷装置は、版胴を複数備えているものであっても良く、また例えば複数の版胴を用いてカラー印刷を行うものであっても良い。印刷装置は、印刷用紙を反転させる機構を備えることなどにより両面印刷を行うものであっても良い。押圧体はプレスローラでなく圧胴であっても良い。
【０１１３】
本発明の実施の形態に記載された効果は、本発明から生じる最も好適な効果を列挙したに過ぎず、本発明による効果は、本発明の実施の形態に記載されたものに限定されるものではない。
【図面の簡単な説明】
【０１１４】
【図１】本発明を適用した印刷装置の概略を示す正面図である。
【図２】図１に示した印刷装置に備えられた排版ローラ及びこれを駆動する機構を示した斜視図である。
【図３】図１に示した印刷装置に備えられた、排版ローラ、排版搬送手段等を備えた排版装置の一部を示す斜視図である。
【図４】図２に示した機構により排版ローラが離間位置と当接位置との間で変位される様子を示した概略正面図である。
【図５】図１に示した印刷装置に備えられた制御手段及びこれによって制御される構成の一部を示すブロック図である。
【図６】図１に示した印刷装置に備えられた排版ローラを発熱体として発熱させる構造を示す斜視図である。
【図７】発熱体により溶融されたマスタの一例を示す平面図である。
【符号の説明】
【０１１５】
１    印刷装置
５    排版装置
９    版胴
２１    孔版原紙
３０    排版搬送手段
３１、３３    発熱体、排版ローラ
９４    溶融可否設定手段
９５    放置時間設定手段
【図１】
2008284828.tif 000003
【図２】
2008284828.tif 000004
【図３】
2008284828.tif 000005
【図４】
2008284828.tif 000006
【図５】
2008284828.tif 000007
【図６】
2008284828.tif 000008
【図７】
2008284828.tif 000009